Podtech/llm-jp-corpus-v4-ja_patent huggingface dataset:
(57)【要約】      （修正有）【課題】シリンダー錠を押すだけで、鍵なしに一時施錠及び開錠することができ、または鍵を使って施錠、開錠することができ、スーツケース内の物品を取る、入れるのに便利なスーツケースボタンロックの構造を提供する。【解決手段】ケース１０、蓋１６の中に昇降台２０を設け、昇降台２０両端にタッチブロック２２と定位フック２３を設け、ケース内に定位フック、タッチブロックに対応する角度を変えて回転できる掛合ブロック、スプリングを設置する。  【選択図】図１
0003173583.tif 000002
【実用新案登録請求の範囲】
【請求項１】
該ケース１０、蓋１６の中に昇降台２０を設け、ケースに軸穴１３、レール１２を設け、該ケース１０の中にスプリング２４、掛合ブロック１５を設け、該掛合ブロック１５に軸１４を具有してケース１０の軸穴１３と組み合わせるため、掛合ブロック１５が触れられると、角度を変えて回転することになり、
また、昇降台２０の両端にタッチブロック２２を設け、昇降台２０が下降する際にタッチブロック２２が掛合ブロック１５に触れることができて角度を変えて回転し、
昇降台２０両端に定位フック２３を設け、昇降台２０が下降する際に、定位フック２３は掛合ブロックに引っ掛けて施錠することになり、再度押すと昇降台が下降し、該タッチブロックによって再度掛合ブロック１５が回転すると、定位フック２３が離れて開錠することを特徴とするスーツケースボタンロックの構造。  
【考案の詳細な説明】
【技術分野】
【０００１】
本考案はスーツケースボタンロックの構造に関し、該ボタンロックは鍵なしでも一時施錠、開錠することができ、鍵を用いて施錠、開錠することもでき、便利に使用できるスーツケースボタンロックの構造に関する。
【背景技術】
【０００２】
従来技術のスーツケースロック構造の多くは、鍵を用いてシリンダー錠のラッチを回転して施錠し、開錠は鍵を用いてシリンダー錠のラッチを回転する必要がある。つまり、鍵を使わなければ施錠或いは開錠することができないため、下記の欠点がある：毎回施錠すると、スーツケースを開けるには鍵が必要であり、スーツケースがユーザーのそばにある時でも、毎回物を入れる、出すたびに鍵を使用しなければならないため、不便、面倒且つ時間がかかるなど、更なる改善が必要であった。
【先行技術文献】
【特許文献】
【０００３】
【特許文献１】登録実用新案第３１２４４６６号公報
【考案の概要】
【考案が解決しようとする課題】
【０００４】
前記従来技術の構造の欠点を解決するために、本考案のボタンロックは鍵を使用しなくても、一時施錠、開錠することができ、もちろん鍵を用いて、施錠開錠することもできるスーツケースボタンロック構造を提供することを主な課題とする。
【課題を解決するための手段】
【０００５】
前記課題を解決するために、本考案はスーツケースボタンロック構造を提供するものである。本考案はボタンロックのケース内に昇降台、掛合ブロック、スプリングを設け、該昇降台に定位フック、タッチブロックを設ける。シリンダー錠を押すことで昇降台が下降し、該定位フックが掛合ブロックを引っ掛けると施錠する。更にシリンダー錠を押すと昇降台が下降し、該定位フックが掛合ブロックから離れて開錠する。よって、本考案は鍵を使用しなくても、一時施錠、開錠することができ、もちろん本考案は鍵を用いて、施錠開錠することもできる。
【考案の効果】
【０００６】
本考案はケース、蓋の中に昇降台を設け、該昇降台両端にタッチブロックと定位フックを設け、ケース内に定位フック、タッチブロックに対応する角度を変えて回転できる掛合ブロック、スプリングの設置することによって、シリンダー錠を押すだけで、鍵なしに一時施錠及び開錠することができ、または鍵を使って施錠、開錠することができ、スーツケース内の物品を取る、入れるのに便利である。
【図面の簡単な説明】
【０００７】
【図１】本考案の立体分解図である。
【図２】本考案の組合せ断面図である。
【図３】本考案の一時施錠の初期動作状態図である。
【図４】本考案の一時施錠状態図である。
【図５】本考案の一時施錠を開錠する動作図である。
【図６】本考案の鍵を使って施錠する初期動作略図である。
【図７】本考案の鍵を使って施錠する状態図である。
【考案を実施するための形態】
【０００８】
図１、図２、図３及び図４に示すように、該ケース１０、蓋１６の中に昇降台２０を設け、ケース１０にロックスロット１１を具有し、シリンダー錠２１のラッチ２１０を入れて施錠する。ケースに軸穴１３、レール１２を設け、該ケース１０の中にスプリング２４、掛合ブロック１５を設け、該掛合ブロック１５に軸１４を具有してケース１０の軸穴１３と組み合わせるため、掛合ブロック１５が触れられると、角度を変えて回転することができる。また、昇降台２０の両端にタッチブロック２２を設け、昇降台２０が下降する際にタッチブロック２２が掛合ブロック１５に触れて角度を変えて回転する。昇降台２０両端に定位フック２３を設け、昇降台２０が下降する際に、定位フック２３は掛合ブロックを引っ掛けることができる。
【０００９】
前記構造により、下記の機能及び効果を持つ：図２に示すのは、施錠していない状態である。一時施錠したい場合、図３に示すように、鍵を必要とせず、直接シリンダー錠２１を押すだけで昇降台２０を下降させ、タッチブロック２２が掛合ブロック１５に触れると、掛合ブロック１５は角度を変えて回転することができ、ちょうど下降した定位フック２３に引っ掛けることで、図４に示す施錠状態となる。再度開錠し、スーツケースを開けたい場合は鍵を必要せず、図５に示すように直接シリンダー錠２１を押して昇降台２０を下降させ、該タッチブロック２２が再度掛合ブロック１５に触れて角度を変えて回転することで、掛合ブロック１５が定位フック２３から外れ、更にスプリング２４の弾力により、昇降台２０は図２に示すような開錠状態に戻る。上記機能は「一時施錠」状態である。よって、毎回スーツケースから物を取る、入れるたびに施錠開錠する際は、全く鍵を使わなくても良いため、使用が便利、迅速である。もちろん、本考案は鍵を使ってシリンダー錠を施錠状態にすることもできる。図６、図７に示すように、鍵１７をシリンダー錠２１に挿入すると、シリンダー錠２１、昇降台２０が下降し、更にシリンダー錠２１のラッチ２１０を回転してロックスロット１１に掛合する。この場合、開錠時は鍵１７を使う必要がある。
【符号の説明】
【００１０】
１０  ケース
１１  ロックスロット
１２  レール
１３  軸穴
１４  軸
１５  掛合ブロック
１６  蓋
１７  鍵
２０  昇降台
２１  シリンダー錠
２１０  ラッチ
２２  タッチブロック
２３  定位フック
２４  スプリング
【図１】
0003173583.tif 000003
【図２】
0003173583.tif 000004
【図３】
0003173583.tif 000005
【図４】
0003173583.tif 000006
【図５】
0003173583.tif 000007
【図６】
0003173583.tif 000008
【図７】
0003173583.tif 000009
(57)【要約】      （修正有）【課題】踏み段の着脱を容易とし、かつ昇降時の危険や恐怖を減少させたロフト付居室構造を提供する。【解決手段】ロフトを備えた居室において、居室床面１とロフト床面２との間に踊り場３を設け、前記踊り場３と居室床面１との間に第１の踏み段４を着脱可能に設置し、前記踊り場３とロフト床面２との間に第２の踏み段８を設置する。前記第１の踏み段４は、建築基準法の規定を満たすために着脱自在に設置するものとするが、第２の踏み段は固定式の階段とすることもできる。【選択図】図１
0003173501.tif 000002
【実用新案登録請求の範囲】
【請求項１】
ロフトを備えた居室において、
居室床面とロフト床面との間に踊り場を設け、
前記踊り場と居室床面との間に第１の踏み段を着脱可能に設置し、
前記踊り場とロフト床面との間に第２の踏み段を設置した、
ロフト付き居室構造。
【請求項２】
第２の踏み段は着脱可能に設置した、
請求項１記載のロフト付き居室構造。
【請求項３】
第２の踏み段は階段とした、
請求項１又は２に記載のロフト付き居室構造。
【考案の詳細な説明】
【技術分野】
【０００１】
この考案は、ロフト付き居室の構造、特にロフトに上がるための踏み段（梯子又は階段）の構造に関するものである。
【背景技術】
【０００２】
ロフトは建築基準法において居室ではなく収納部として扱われている。そのために、面積や高さに制約があるほか、ロフトに上がるための梯子等は固定式のものを用いることができないこととされている。
そのために、従来は居室の床面からロフトの床面まで届く１本の梯子を着脱可能に設置している。
しかしながら、このような梯子は重く、その着脱には力が必要であって、子供や老人には大きな負担となっている。
また、踏面の狭い梯子が用いられているので、昇降の際に足を踏み外すおそれもあり、昇降に恐怖心を抱く人もいる。
【０００３】
着脱の負担を軽減させる提案として、特開２００４−３０８３３２号の発明がある。この発明は、バネで梯子を上向きに付勢することによって梯子が軽く持ち上がるようにしたものである。しかしながら、この発明によっても梯子である以上、踏み外すおそれを解消することはできない。
【特許文献１】特開２００４−３０８３３２号公報
【考案の開示】
【考案が解決しようとする課題】
【０００４】
この考案は、踏み段の着脱を容易とし、かつ昇降時の危険や恐怖を減少させることを課題とするものである。
【課題を解決するための手段】
【０００５】
この発明は、ロフトを備えた居室において、居室床面とロフト床面との間に踊り場を設け、前記踊り場と居室床面との間に第１の踏み段を着脱可能に設置し、前記踊り場とロフト床面との間に第２の踏み段を設置することにより、課題を解決するものである。
前記第１の踏み段は、建築基準法の規定を満たすために着脱自在に設置するものとするが、第２の踏み段は固定式の階段とすることもできる。
この考案で「踏み段」とは「梯子」と「階段」を含む概念であり、居室の構造と分離していて着脱可能なものを「梯子」、構造に固定されているものを「階段」という。
【考案の効果】
【０００６】
この考案によれば、居室の床面とロフトの床面との間に踊り場を設け、踏み段を上下に分割した。踊り場を設けたことにより昇降時の恐怖心を軽減することができ、踏み段を分割したことにより、従来１本の梯子と比較して軽量小型化することができ、着脱の際の労力が軽減できる。加えて、第二の踏み段を踏面の広い階段とすることにより、昇降時の安全性を向上させることができる。
前記踊り場の下の空間はクロゼットなど収納用に好適である。
【図面の簡単な説明】
【０００７】
【図１】この考案実施例１の斜視図
【図２】同じく実施例２の斜視図
【符号の説明】
【０００８】
１    居室の床面
２    ロフトの床面
３    踊り場
４    梯子（第１の踏み段）
８    梯子（第２の踏み段）
９    階段
【考案を実施するための最良の形態】
【０００９】
以下、この考案の実施例を説明する。
【実施例１】
【００１０】
図１はロフトに昇降する踏み段部分の斜視図である。
居室の床面１とロフトの床面２との間に踊り場３が設けてある。この踊り場の高さ位置は、居室の床面からロフトの床面までの距離の１／２ないし２／３程度が適当である。
【００１１】
居室の床面１と前記踊り場３との間には、第１に踏み段である梯子４が着脱可能に設置してある。すなわち、前記踊り場３の端面には梯子４を係止するための係止バー５が取り付けてあり、前記梯子４の上端部には前記係止バー５に係止する係止フック６が取り付けてある。そして梯子４の下端は居室の床面１に至っている。
なお、前記梯子４は幅の広い踏み板７を備えたものとしてある。
【００１２】
ロフトの床面２と踊り場３との間には、第２の踏み段である梯子８が着脱可能に設置してある。すなわち、梯子８は対向する側枠８ａの間に踏み板８ｂを掛け渡して構成してあり、前記側枠８ａの上端及び下端は斜切してあり、それぞれロフトの床面２の外枠２ａ及び踊り場３の床面に    当接して、安定して保持されるようにしてある。
なお、前記梯子４と同様に、ロフトの床面２の外枠２ａに係止バーを取り付け、梯子８の上端部に係止フックを設けると安定性が高まる。
【００１３】
この実施例によれば、第１の踏み段である梯子４、第２の踏み段である梯子８共に着脱可能であるから、建築基準法の要件を問題なくクリアすることができる。そして、着脱作業を行う機会の多い梯子４は居室の床面からロフトの床面までの高さの途中までの長さであるから、従来の梯子と比較して小型軽量化することができ、着脱作業を容易に行うことができる。
また、踊り場の存在により、昇降時の恐怖感を軽減することができ、加えて梯子４，梯子８共に幅の広い踏み板を備えたものとしたので、昇降時の安全性が向上する。
【実施例２】
【００１４】
図２は第２の踏み段を居室の構造として固定した階段９としたものである。
すなわち、踊り場３とロフトの床面２との間の壁面１０及び仕切壁１１に踏み板１２を支持する受け段部１３を設け、ここに踏み板１２を固着して階段９を構成している。
なお、踏み板１２を受け段部１３に固定せずに載置するのみとして着脱可能としてもよい。
【産業上の利用可能性】
【００１５】
この考案は、ロフトの使用上の便宜を改善するものであって、産業上の利用可能性を有するものである。
【図１】
0003173501.tif 000003
【図２】
0003173501.tif 000004
(57)【要約】      （修正有）【課題】インテリア性に富むと共に、礼拝の対象として十分な荘厳さをもった仏像を備える仏具を提供する。【解決手段】仏具１は、仏像２と支持台３及び仏像２と支持台３との間に介在され、仏像を支持する支持部材４とにより成る。仏像２としては如来像や菩薩像、その他仏教関連の像全般を使用できる。支持台３は、円柱状の片体を使用しており、孔部３ａに支持部材４が嵌合可能に設けてある。支持台３の形状は、仏像２が倒れない状態で支持できるものであれば、任意の形状のものを使用できる。支持部材４は透明又は半透明な材質を有する棒材あるいは板材で構成されるものである。具体的には樹脂製やガラス製の棒材や板材を利用することが可能である。【選択図】図１
0003173502.tif 000002
【実用新案登録請求の範囲】
【請求項１】
支持台（３)と、
仏像（２）と、
仏像（２）に取り付けられると共に、支持台（３）に嵌合可能な透明又は半透明な材質より成る支持部材（４）と、
により成る仏具。
【請求項２】
支持台（３）に照明器具（５）を備えた請求項1記載の仏具。
【考案の詳細な説明】
【技術分野】
【０００１】
本考案は仏具に関し、より詳しくは、荘厳さと装飾性を併せ持つ仏像を備える仏具を提供することを目的とする。
【背景技術】
【０００２】
仏壇内に載置される仏像に荘厳さを与える方法として、ライトアップするという方法が採られることがある。
【０００３】
かかる方法を採用する先行技術文献として、以下に示すようなものがある。
【０００４】
特開２００５−２９６１７６号公報には、光背に光源を配設した仏壇が開示されている。
【０００５】
特開２００７−２７５５１３号公報には、だるま本体を透明な造形とし，その胎内仏を内部からライトアップして周りの闇から浮き上がらせることを可能とした造形物が記載されている。
【０００６】
特開２００８−５４８０７号公報には、仏壇内部に設けた照明装置によって本尊等をライトアップ可能な旨の記載がある（段落００２１参照）。この仏壇は左右に開閉可能な扉を有すると共に、当該扉の中央部分が透明に形成して成るものである。
【０００７】
実用新案登録第３１５８２６０号には、外面に蓄光材を塗布した仏像が開示されている。
【０００８】
実用新案登録第３１６５６０２号公報には、載置台内に光源を配置し、載置台上の仏像をライトアップ可能な仏壇が開示されている。
【先行技術文献】
【特許文献】
【０００９】
【特許文献１】特開２００５−２９６１７６号公報
【特許文献２】特開２００７−２７５５１３号公報
【特許文献３】特開２００８−５４８０７号公報
【特許文献４】実用新案登録第３１５８２６０号公報
【特許文献５】実用新案登録第３１６５６０２号公報
【考案の概要】
【考案が解決しようとする課題】
【００１０】
昨今、仏間を有する家屋の減少に伴い、仏壇や仏像をリビング等に置く家庭が増えている。係る現状に伴い、仏壇や仏像にもインテリア性が求められることが多い。
【００１１】
そこで本考案はインテリア性に富むと共に、礼拝の対象として十分な荘厳さをもった仏像を備える仏具を提供することを目的とする。
【課題を解決するための手段】
【００１２】
上記の目的を達成する本発明の構成は次の通りである。
【００１３】
（１）  請求項１に記載の仏具は、支持台と、仏像と、仏像に取り付けられると共に、支持台に嵌合可能な透明又は半透明な材質より成る支持部材とにより構成した。
【００１４】
（２）  請求項２に記載の仏具は、請求項１記載の仏具において、支持台に照明器具を備えて構成した。
【考案の効果】
【００１５】
本考案に係る仏具は、仏像と当該仏像を支持する支持台との間に透明又は半透明の支持部材が介在させてある。かような構成ゆえに、仏像が空中に浮いているが如くの印象を与えることが可能となり、荘厳さと装飾性とを見るものに与えることが可能となるのである。
【００１６】
更には請求項２に記載の考案においては、支持台に設けた照明器具により仏像をライトアップすることが可能となる。これにより、更に荘厳さと装飾性が増すことになるのである。
【図面の簡単な説明】
【００１７】
【図１】本考案の一実施形態を示す概略構成図。
【図２】他の実施形態を示す概略構成図。
【図３】請求項２記載の考案の一実施形態を示す概略構成図。
【図４】請求項２記載の考案の他の実施形態を示す概略構成図。
【考案を実施するための形態】
【００１８】
以下、好ましい考案の実施形態につき、図面を参照しながら概説する。
【００１９】
図１は本考案に係る仏具１の一実施形態を示す概略構成図である。仏像２と支持台３及び仏像２と支持台３との間に介在され、仏像を支持する支持部材４とにより成るものである。
【００２０】
仏像２としては如来像や菩薩像、その他仏教関連の像全般を使用できるが、係る限定を受けるものではなく、七福神など様々な土地で信仰されているものの形状であっても良く、また寝像や立像であっても良い。
【００２１】
支持台３は、図１においては円柱状の片体を使用しており、孔部３ａに支持部材４が嵌合可能に設けてある。
【００２２】
支持台３の形状は図１に示す態様のものに限定を受けるものではなく、仏像２が倒れない状態で支持できるものであれば、任意の形状のものを使用できる。更には図２に示すように仏壇を支持台３として利用しても良いし、図３に示すように筐体を支持台３として利用しても良い。
【００２３】
支持部材４は透明又は半透明な材質を有する棒材あるいは板材で構成されるものである。具体的には樹脂製やガラス製の棒材や板材を利用することが可能である。
【００２４】
図３は請求項２記載の仏具の一実施形態を示す概略構成図である。支持台３の上部に仏像２を照らす照明器具５が設けてある。照明器具５としてはＬＥＤライトや白熱灯、蛍光灯などが利用可能である。
【００２５】
図４は請求項２記載の仏具の他の実施形態を示す概略構成図である。支持台３の天板３ｂを透明な素材で構成し、支持台３内部に設けた照明器具５で、仏像２をライトアップすることが可能に設けてある。
【符号の説明】
【００２６】
１・・仏具
２・・仏像
３・・支持台
３ａ・・孔部
３ｂ・・天板
４・・支持部材
５・・照明器具
【図１】
0003173502.tif 000003
【図２】
0003173502.tif 000004
【図３】
0003173502.tif 000005
【図４】
0003173502.tif 000006
(57)【要約】      （修正有）【課題】テーブルの上に置いた観賞用植物等を必要に応じてテーブルの中に収納し、観賞用植物等を収納した時には、普通のテーブルとして使用できるテーブルを提供する。【解決手段】テーブルの天板２の中央部分を切断して、観賞用植物１４等を置くための昇降天板１とし、この昇降天板をジャッキ４の上側に取付けジャッキの下側には小型モーター５を取付け、この小型モーターの回転によりジャッキの可動部を昇降させ、昇降天板の上に置いた観賞用植物等を自動で収納し、テーブルの上に戻すことを可能とする。また、ジャッキを長ネジボルト９と丸パイプ１０で角パイプ１１に固定して吊り下げることで、テーブルに座った時の足先の空間が確保できる。【選択図】図３
0003173548.tif 000002
【実用新案登録請求の範囲】
【請求項１】
テーブルの天板中央部分を切断分離し、この天板中央部分を小型モーターとジャッキを用いて昇降させることで、昇降する天板の上に置いた観賞用植物等をテーブルの天板の下に収納できることを特徴とするテーブル。
【請求項２】
前述の観賞用植物等をテーブルの天板の下に収納した時に、切断した天板中央部分をセンター天板でふさぐことを特徴とする請求項１記載のテーブル。
【請求項３】
前述の天板の中央部分を昇降させるモーターとジャッキが、テーブルの脚により支えられている鋼材に吊り下げられていることを特徴とする請求項１記載のテーブル。
【考案の詳細な説明】
【技術分野】
【０００１】
本考案は、テーブルの上に置いた観賞用植物等をテーブルの中に収納する機構を備えたテーブルに関するものである。
【背景技術】
【０００２】
食事や会議で使用するテーブルの上で観賞用植物等を栽培できれば、部屋の片隅ではなく、人目につきやすい場所で観賞用植物等を栽培することできる。
【先行技術文献】
【特許文献】
【０００３】
【特許文献１】特開平１０−７５８２９公報
【特許文献２】実開平６−８６５７５公報
【特許文献３】実登３１４２０８７公報
【特許文献４】特開２００８−１４２３６１公報
【考案の概要】
【考案が解決しようとする課題】
【０００４】
食事や会議で使用するテーブルの上で観賞用植物等を栽培すれば、食事や会議をする度に、テーブルの上の観賞用植物等を取り除く作業が必要となる。また、取り除いた観賞用植物等を置くためのスペースが必要になる。そこで、テーブルの上で栽培する観賞用植物等をテーブルの中に自動収納することができれば、テーブルの天板の上で観賞用植物等を栽培し、かつ食事や会議で使用したいときには普通のテーブルとして使用することができる。
【課題を解決するための手段】
【０００５】
本考案は、テーブルの天板中央部分を切断分離し、この切断分離した天板中央部分をモーターとジャッキを用いて昇降する昇降天板とし、この昇降天板をモーターとジャッキで下げることで昇降天板の上に置いた観賞用植物等を天板の下に収納することができる。この時、切断されたテーブルの天板中央部分は穴が空いた状態となるが、この部分をセンター天板でふさぐことでテーブル全体を使用することができる。また、観賞用植物等を昇降させる、モーターとジャッキを、テーブルの脚により支えられている鋼材に吊り下げることで、食事や会議のためにテーブルの前に座った時に足先に障害物がなく普通に座ることができる。
【考案の効果】
【０００６】
上述の様に、本考案のガーデニングテーブルは、テーブルの上で栽培する観賞用植物等を必要に応じてモーターとジャッキでテーブルの天板の下に収納し、かつ、天板の穴が空いた部分をセンター天板でふさぐことで、食事や会議で使用したい時には普通のテーブルと変わりなく使用することを可能とした。
また、観賞用植物等を置く昇降天板及びモーターとジャッキを、天板ではなくテーブルの脚により支えられている鋼材に吊り下げることにより、昇降天板の上に置かれる観賞用植物等の重さが鋼材を通してテーブルの脚に伝わり、昇降天板の上に重量物を置いてもテーブルを破損することなく、テーブルの上でガーデニングを楽しむことができる。
【図面の簡単な説明】
【０００７】
【図１】テーブルとして使用している状態
【図２】観賞用植物等を栽培する状態
【図３】観賞用植物等を収納した状態
【考案を実施するための形態】
【０００８】
テーブルの天板中央部分を切断分離し、この切断分離した天板中央部分をジャッキに取り付け、観賞用植物等を置くための昇降天板とする。ジャッキの下側には小型モーターを取り付け、このモーターの回転によりジャッキの可動部を昇降させ、昇降天板の上に置いた観賞用植物等を自動で収納し、テーブルの上に戻すことを可能としている。また、テーブルに座った時の足先の空間を確保し、かつ、昇降天板の上に置く観賞用植物等の重さによるテーブルの破損を防ぐため、モーターとジャッキを長ネジボルトと丸パイプで、テーブルの脚により支えられている鋼材に固定し吊り下げる形態とした。
【実施例】
【０００９】
以下、添付図面により説明する。本考案のガーデニングテーブルは図３に示すようにテーブルの２天板の中央部分を切断して、１４観賞用植物等を置くための１昇降天板とし、この１昇降天板を４ジャッキの上側に取付け、４ジャッキの下側には５小型モーターと８Ｌアングルを取付ける。この８Ｌアングルに９長ネジボルトと１０丸パイプを取付け、９長ネジボルトと１０丸パイプの上側は１１角パイプに固定して４ジャッキを吊り下げる。
【００１０】
１１角パイプは、１３脚パイプに取付けられている１２Ｌアングル大に取付けるため、１１角パイプに固定して吊り下げている４ジャッキに取付けられている１昇降天板の上に置かれた１４観賞用植物等の重さは、１１角パイプと１２Ｌアングル大を通して１３脚パイプに伝わり、１４観賞用植物等の重さで２天板が破損することがない。
【００１１】
図２は観賞用植物等を栽培する状態で、４ジャッキの可動部が上昇した状態にある。観賞用植物等を収納する時は、スイッチを押し５小型モーターを起動させ、６スプロケット及び７チェーンを通して４ジャッキの台形ネジを回転させる。上昇していた４ジャッキの可動部が降下し、４ジャッキの可動部が下端に達するとリミットスイッチが働き５小型モーターを停止させ、図３の観賞用植物等を収納した状態となる。この時、２天板の中央部が穴の空いた状態となるため、ここに３センター天板を設置し穴をふさぐことで、普通のテーブルと変わりなく食事や会議でテーブルを使用することができる。
逆に図２の観賞用植物等を栽培する状態にする時は、２センター天板を取り外し５小型モーターを逆回転させるスイッチを押す。４ジャッキの可動部が上昇し、上端に達するとリミットスイッチが働き５小型モーターを停止させ、図２の観賞用植物等を栽培する状態となる。
【符号の説明】
【００１２】
１  昇降天板
２  天板
３  センター天板
４  ジャッキ
５  小型モーター
６  スプロケット
７  チェーン
８  Ｌアングル
９  長ネジボルト
１０  丸パイプ
１１  角パイプ
１２  Ｌアングル大
１３  脚パイプ
１４  観賞用植物
【図１】
0003173548.tif 000003
【図２】
0003173548.tif 000004
【図３】
0003173548.tif 000005
(57)【要約】      （修正有）【課題】建築現場用の仮設用の足場に使用する縦方向に連接する支柱であって、手摺クランプ、足場板及びブラケットを安全確実強固に支持装着できる仮設足場用支柱を提供する。【解決手段】足場用の手摺クランプ、足場板及びブラケット等を取着する支柱本体は、各種の管状体で、縦方向に一定間隔を設けた外周の相対向する２ヶ所と片側の１ヶ所に各種形状の突出金具を固定し、且つ該支柱本体の上部の接続突部と下部の接続凹部との嵌合間隔を凹弧段部と同一寸法とする。【選択図】図１
0003173668.tif 000002
【実用新案登録請求の範囲】
【請求項１】
足場用の手摺枠及び足場支持杆等を取着する仮設足場用支柱において、支柱本体（１）は、各種の管状体より形成されると共に、縦方向の外周に一定間隔を設けて、相対向する位置に各種形状の突出金具（２）（２）を対設し、該突出金具（２）（２）には、一定間隔の凹弧段部（３）（３）を形成し、且つ該支柱本体（１）には、上端に設けた上部接続突部（５）と、下端に設けた下部接続凹部（６）とを同一寸法に形成したことを特徴とする仮設足場用支柱。
【請求項２】
請求項１における支柱本体（１）には、縦方向に一定の間隔を設けて外周の片側１ヶ所のみに各種形状の突出金具（２）を取着形成したことを特徴とする請求項１の仮設足場用支柱。
【考案の詳細な説明】
【技術分野】
【０００１】  本考案は、建築現場の仮設用の足場に使用する縦方向に連接使用する支柱であって、手摺クランプ、足場板及びブラケット等を安全確実強固に装着できることを目的とした仮設足場用支柱に関するものである。
【背景技術】
【０００２】  従来この種の仮設足場用支柱にあっては、ブラケットを足場に取り付ける際には、毎回スケール等を使用して、その高さ寸法を測り、各々に目印を付けて、その位置を決定して手摺クランプ又はブラケット等を取り付ける作業を実施していた現状である。
【考案の概要】
【考案が解決しようとする課題】
【０００３】  従来の技術で述べた足場用支柱は、先に述べた如く毎回その取付位置を決める作業のため、その作業が大変面倒で手間の掛かるものであった。
本考案は、従来の面倒な技術を解決するもので、その目的とする所は、支柱に予め突出金具等を取り付ける作業を簡単とするために、支柱の外周に予め相対する一定間隔を設けて単数又は複数の突出金具を階段的に固着する。また、上端及び下端の接続部分にも突出金具を取り付ける部分の間隔寸法も該突出金具の取付け間隔と一定となる様に連接する足場用支柱を提供するものである。
【課題を解決するための手段】
【０００４】  上記目的を達成するために、本考案における仮設足場用支柱は、各種の管状体の支柱本体を縦方向に一定の間隔を設けて、縦方向の外周の片方１ヶ所と相対向する２ヶ所の位置に各種形成の突出金具を固定して、該突出金具との間に同一寸法幅の複数の凹弧段部を縦方向に形成する。
更に、上部接続突部と下端の下部接続凹部との接続寸法は、該突出金具との間隔幅と同一寸法に形成する。
【考案の効果】
【０００５】  本考案は、以上の如く構成されているので、支柱本体に対して縦方向の片側又は相対向する位置に一定の間隔を以って突出状の段部となる突出金具を固定したので、従来の如く、今までの突出金具を足場に取り付ける時にスケール等を以って毎回高さを測る面倒な作業の必要がなく、複雑な手間と時間を掛けることなく足場が完成できるので、安全でスムーズに作業ができる優れた効果がある。また、支柱本体の上端の上部接続突部と下部に設けた下部接続凹部との寸法を同一寸法にすることによって、他の突出金具の取付間隔と同様に同一幅間隔に出来る効果がある。
更に、支柱本体に取り付ける突出金具の各々の間隔の幅を同一寸法に取り着けしたことにより、支柱の工程での生産が容易となり、多量生産が容易となり、現場での複雑な作業が解決されると云う便利な効果と、上部接続突部と下部接続凹部とによって、接続作業が極めて正確、且つ容易に多数連接できる効果もある。
【図面の簡単な説明】
【０００６】
【図１】本考案の支柱本体の相対向する位置に突出金具を設けた正面図である。
【図２】同じく本考案の一部分割した正面からの斜面図である。
【図３】本考案の図１のＡ−Ａ線の横断平面図である。
【図４】同じく本考案の突出金具の（イ）図、（ロ）図の斜面図である。
【図５】本考案の支柱本体の縦方向の片側のみに突出金具を設けた正面図である。
【図６】同じく本考案の図５のＡ−Ａ線の横断平面図である。
【考案を実施するための形態】
【０００７】  上記のように構成されている仮設足場用支柱によれば、図１に示す如く、支柱本体（１）の多数を現場に運搬し、上端の上部接続突部（５）を下端の下部接続凹部（６）に嵌合し、縦方向に容易に多数連接して並列状に接続する。該支柱本体（１）の相対向する両端の突出金具（２）（２）及び図５に示す該支柱本体（１）の片側のみに該突出金具（２）によってブラケットを取り付け、所定間隔の位置に手摺クランプ、足場板又はブラケット等を懸設するものである。
【実施例】
【０００８】  本考案の実施例について図面を参照して説明すると、図１及び図２において、支柱本体（１）は、各種の断面形状の管状体であって、該支柱本体（１）の縦方向には、所定間隔に相対向する２個の突出金具（２）（２）を固定し、該突出金具（２）（２）の間には、凹弧段部（３）（３）が所定の間隔で同様に形成される。【０００９】  該支柱本体（１）には、上端に設けた上部接続突部（５）と、下端の下部接続凹部（６）との寸法は縦方向に嵌合連結した時に該突出金具（２）と突出金具（２）との間隔幅が同一寸法となるように連結形成してある。【００１０】  次に、図３に示すものは、図１の支柱本体（１）の横断面で外周辺の相対する位置に取着面（７）を設けてた各種の形状、例えば三角形状又は矩形状の突出金具（２）（２）を形成する。また、図４に示す該突出金具（２）（２）の取着面（７）は、該支柱本体（１）の外周に溶接又は螺子止め等の各種手段を以って所定間隔に固定するものである。【００１１】  更に、図５に示すものは、本考案の支柱本体（１）の片側のみの１ヶ所に所定間隔を設けて突出金具（２）を固定したものである。また、該支柱本体（１）には、上端に上部接続突部（５）と、下端には下部接続凹部（６）を設け、該支柱本体（１）（１）を縦方向に連結するものである。【００１２】  また、図６に示すものは、本考案の支柱本体（１）の片側の一方のみに所定間隔を設けて突出金具（２）を固定したものである。
【符号の説明】
【００１３】１            支柱本体
２            突出金具
３            凹弧段部
５            上部接続突部
６            下部接続凹部
７            取着面
【図１】
0003173668.tif 000003
【図２】
0003173668.tif 000004
【図３】
0003173668.tif 000005
【図４】
0003173668.tif 000006
【図５】
0003173668.tif 000007
【図６】
0003173668.tif 000008
(57)【要約】      （修正有）【課題】ランドセルサイズの大型化に対応したランドセルカバーを提供する。【解決手段】上部に開口部３を設けた表材１に、裏材２を左右両端のみを接合し、裏材の上下は表材と接合せず裏材上部開口部４、下部開口部５とする。ランドセルへの取り付けは、ランドセルの肩ベルトサイズ調節部分で肩ベルトの下部ををはずし、はずした肩ベルトの先端を開口部３に通して再度つなぎ、ランドセルカブセ蓋部先端を裏材上部開口部４から裏材下部開口部５へ通して固定する。裏材の長さはランドセルカブセ蓋とカバーとが沿う長さと関連し、長いほど使用時のズレ動きが少ないが長すぎるとカブセ蓋の良好な動きを損ねるため２５０ｍｍから３５０ｍｍであることが望ましい。【選択図】図１
0003173670.tif 000002
【実用新案登録請求の範囲】
【請求項１】
表面部材と裏面部材を左右の辺でのみ接合し、上下は接合せずに筒状体としたランドセルカブセ蓋カバー。
【考案の詳細な説明】
【技術分野】
【０００１】  本考案はランドセルに着けるカバーに関する。
【背景技術】
【０００２】  従来より、成人に比べて背が低いために車から見えにくく、また交通ルールの理解が浅く、不慣れな子どもが交通事故に遭う可能性を低減させることを目的に、子どもがいることを遠方の車両からも認識できるよう、ランドセルのカブセ蓋につける黄色など視認性のカバーがあった。【０００３】
【考案が解決しようとする課題】
【０００４】  これには次のような欠点があった。
（イ）取り付けるランドセルカブセ蓋の長さによってはランドセルカバーの丈が足りず、つけられない場合があった。
（ロ）ランドセルのカブセ蓋への取付けではなく、背中に触れる面以外の全体を覆うシャワーキャップ形式のランドセルカバーの場合、ランドセルを開閉する際に元々必要な動作以外に、ランドセルからカバーを着脱するという一手間が必要であった。
（ハ）ランドセルカバーを着けられないランドセルを所有する子どもが着けずにいる事から、本来つけられるランドセルを所有する子どもにも、着けなくて良い、という認識が生まれ、結果的に着用率が低下し、仮に全員が着けられた場合よりも事故に遭う確率が高い子どもが増加する可能性があった。
（ニ）ランドセルによっては下部に反射機能を有した製品があるが、ランドセルカバーを着ける事で反射部位を覆い隠して光が当たらなくすることで反射機能を損ね、ヘッドライトを点けた車両からの視認性を逆に低減させてしまう場合があった。
【課題を解決するための手段】
【０００５】  表面部材と裏面部材を左右の辺でのみ接合し、上下は接合せずに筒状体とする。
【考案の効果】
【０００６】  取り付けるランドセルカブセ蓋の長さによってランドセルカバーの丈が足りず、つけられない事の原因は従来のものが下部を袋状にし、底を設けていたためランドセルカブセ蓋を一定の位置に固定していた為である。底を設けずに、筒状に成形することで、例えば標準よりも長いカブセ蓋を有するランドセルにも、標準との長さの差の分をランドセルカバー下部に突き抜けさせることができ、余計な一手間を増やさずに日常の開閉が行え、ランドセルカブセ蓋の長短に左右されずに取り付けることが可能となる。開閉のたびにランドセル本体から着脱させることなく縦半カブセ型ランドセルや横長型ランドセルにもつけておくことが出来るので、本来つけられるランドセルを持っている子どもたちの着用率が低下する要因にもなりにくい。ランドセルによって下部に反射機能を有する製品の場合でもこれを露出させた形でカバーを固定、使用できるので、交通安全を目的としたランドセルカバーが逆に夜間には車からの視認性に悪影響を与えてしまうという本末転倒を解消できる。
【図面の簡単な説明】
【０００７】
【図１】  本考案の正面図である。
【図２】  本考案の背面図である。
【図３】  本考案の実施例を示す斜視図である。
【考案を実施するための形態】
【０００８】  上部に開口部（３）を設けた表材（１）に、裏材（２）を左右両端のみを接合し、裏材の上下は表材と接合せず裏材上部開口部（４）、下部開口部（５）とする。
【実施例】
【０００９】  以下、本考案の実施例について説明する。
ランドセルへの取り付けは、ランドセルの肩ベルトサイズ調節部分で肩ベルトの下部ををはずし、はずした肩ベルトの先端を開口部（３）に通して再度つなぎ、ランドセルカブセ蓋部先端を裏材上部開口部（４）から裏材下部開口部（５）へ通して固定する。
裏材の長さはランドセルカブセ蓋とカバーとが沿う長さと関連し、長いほど使用時のズレ動きが少ないが長すぎるとカブセ蓋の良好な動きを損ねるため２５０ｍｍから３５０ｍｍであることが望ましい。また、ランドセルカブセ蓋裏面を時間割表とするランドセルがあるので裏材（２）は透明やメッシュなど、時間割表の表示を覆っても隠さない素材が望ましい。
本体上部の開口部（３）はランドセルに取り付ける際に上部の固定法がベルトをくぐらせる方式のものであり、上部の取り付け方法は紐穴を設けて通した紐でランドセルと結びつける方法も可能である。
【産業上の利用可能性】
【００１０】本考案のランドセルカバーは前述のように交通安全に貢献するものであり、また表面に地域のマスコットキャラクターなどを印刷することによってキャンペーン活動などに利用でき、地域連帯感の向上から産業の活性化も期待できる。
【符号の説明】
【００１１】１  表材
２  裏材
３  開口部
４  裏材上部開口部
５  裏材下部開口部
【図１】
0003173670.tif 000003
【図２】
0003173670.tif 000004
【図３】
0003173670.tif 000005
(57)【要約】      （修正有）【課題】ランドセルの形状にかかわらずに付けられるカバーを提供する。【解決手段】上部と左右に紐が通る穴を設けた折り返し部を有し、本体中ほどにも紐が通る穴を設ける。【選択図】図１
0003173669.tif 000002
【実用新案登録請求の範囲】
【請求項１】
上部と左右に紐が通る穴を設けた折り返し部を有し、本体中ほどにも紐が通る穴を設けたランドセルカブセ蓋カバー。
【考案の詳細な説明】
【技術分野】
【０００１】  本考案はランドセルに着けるカバーに関する。
【背景技術】
【０００２】  従来より、成人に比べて背が低いために車から見えにくく、また交通ルールの理解が浅く、不慣れな子どもが交通事故に遭う可能性を低減させることを目的に、子どもがいることを遠方の車両からも認識できるよう、ランドセルのカブセ蓋につける黄色など視認性の高いカバーがあった。【０００３】
【考案が解決しようとする課題】
【０００４】  これには次のような欠点があった。
（イ）縦長型ランドセルのみを対象にし、ランドセルカバー本体の横幅を縦長型ランドセルのカブセ蓋の横幅に合わせて製作していたため、ランドセルカバー本体の周囲の取付け幅の調整が出来ない、または出来てもその調節幅が狭く、ランドセルの形状が横長型であった場合には取り付けができなかった。
（ロ）縦長型ランドセルのみを対象にし、ランドセルカバー本体の縦の長さを縦長型ランドセルのカブセ蓋における縦の長さに合わせて製作していたため、ランドセルカバーの縦の長さ調整が出来ない、または出来てもその調節幅が狭く、ランドセルの形状が半カブセ蓋型であった場合には取り付けるとカバーの方が長いために余ってしまっていた。
（ハ）ランドセルのカブセ蓋への取付けではなく、背中に触れる面以外の全体を覆うシャワーキャップ形式のランドセルカバーの場合、ランドセルを開閉する際に元々必要な動作以外に、ランドセルからカバーを着脱するという一手間が必要であった。
（ニ）ランドセルカバーを着けられないランドセルを所有する子どもが着けずにいる事から、本来つけられるランドセルを所有する子どもにも、着けなくて良い、という認識が生まれ、結果的に着用率が低下し、仮に全員が着けられた場合よりも事故に遭う確率が高い子どもが増加する可能性があった。
（ホ）ランドセルによっては下部に反射機能を有した製品があるが、ランドセルカバーを着ける事で反射部位を覆い隠して光が当たらなくすることで反射機能を損ね、ヘッドライトを点けた車両からの視認性を逆に低減させてしまう場合があった。
【課題を解決するための手段】
【０００５】上部と左右に紐が通る穴を設けた折り返し部を有し、本体中ほどにも紐が通る穴を設ける。
【考案の効果】
【０００６】  ランドセルによって異なるランドセルカブセ蓋の幅の大小の差や長さの違いは折り返し部の折り曲げる位置、紐の長さで調整し取り付けることが出来る。開閉のたびにランドセル本体から着脱させることなく半カブセ型ランドセルや横長型ランドセルにもつけておくことが出来るので、本来つけられるランドセルを持っている子どもたちの着用率が低下する要因にもなりにくい。ランドセルによって下部に反射機能を有する製品の場合でもこれを露出させた形でカバーを固定、使用できるので、交通安全を目的としたランドセルカバーが逆に夜間には車からの視認性に悪影響を与えてしまうという本末転倒を解消できる。
【図面の簡単な説明】
【０００７】
【図１】  本考案の正面図である。
【図２】  本考案の実施例を示す斜視図である。
【図３】  本考案の実施例を示す斜視図である。
【考案を実施するための形態】
【０００８】  上部と左右に紐が通る穴（２）を設けた折り返し部（１）を有し、本体中ほどにも紐が通る穴（３）を設ける。
【実施例】
【０００９】  以下、本考案の実施例について説明する。
本体上部の紐通し穴（２）を通した紐でランドセル上部の任意の箇所に結びつけることで上下への動きを固定し、左右の折り返し部（１）をランドセルカブセ蓋裏側へ、カブセ蓋を巻き込む形で折り返して左右の折り返し部（１）同士をヒモでつないで左右への動きを固定するため、ランドセルによるランドセルカブセ蓋の幅の大小の差は、折り返し部（１）の折り曲げる位置、紐の長さで調整し取り付けることが出来る。ランドセルカブセ蓋の長短の差は、例えば半カブセ蓋型ランドセルへの取り付けの場合はランドセルカバーを上下二つ折りにし、上部の丸型紐通し穴（２）ではなくランドセルカバーの中ほどに設けられた十字型紐通し穴を利用することで取り付けることができる。本体中ほどの紐通し穴の形状は丸型（２）の場合、表に出る面であり穴として容易に視認されてしまい、見栄えがよくなく、印刷の際にも不都合があるので十字型であることが望ましい。また、通す紐の張力が垂直に近い角度でかかることから、十字型の穴（３）は斜め４５度に傾いてることが望ましい。
【産業上の利用可能性】
【００１０】本考案のランドセルカバーは前述のように交通安全に貢献するものであり、また表面に地域のマスコットキャラクターなどを印刷することによってキャンペーン活動などに利用でき、地域連帯感の向上から産業の活性化も期待できる。
【符号の説明】
【００１１】１  折り返し部
２  丸型紐通し穴
３  十字形紐通し穴
【図１】
0003173669.tif 000003
【図２】
0003173669.tif 000004
【図３】
0003173669.tif 000005
(57)【要約】      （修正有）【課題】カホンの内部をショーケースとして装飾することにより、楽器を見ることの楽しみを拡大することができるショーケース打楽器を提供する。【解決手段】カホン１は、打面板５と、左右の側面板４と、上面板２と、底面板３と、サウンドホールと称する音出力用開口を有する背面板からなる箱体で構成されている。箱体の左右の側面板４と、上面板２と、底面板３は、木製の板で、互いに接着剤にて固着されている。打面板５は透明なアクリル板で、ビス１２で固定されている。背面板は木製の板で、ビスで固定されている。内部は上下左右の弦張りユニット８、９が固定されている。その上下の弦張りユニット８と弦張りユニット９の間に弦１０が張られている。【選択図】図１
0003173661.tif 000002
【実用新案登録請求の範囲】
【請求項１】
内部が空洞状に形成された箱体の打面を叩くことによりリズム演奏する打楽器であって、箱体の一部または全体の板を透明に形成して、箱体の内部が見えるように構成し、箱体の内部に、観賞用の模型を設置してなるショーケース打楽器。
【考案の詳細な説明】
【技術分野】
【０００１】  本考案は、内部が空洞の箱体の側面に設けられた打面を叩打するなどして共鳴音を発生させる打楽器の内部に展示物を入れ、ショーケースとして展示物を観賞することができるショーケース打楽器に関する。
【背景技術】
【０００２】  打楽器の一種として「カホン」と称するものが知られている。カホンは特許文献１（特開２００５−２６６７３２号公報）や特許文献２（特表２００８−５００５６５号公報）に示されるように、内部が空洞の箱体の側面に設けられた打面を叩打するなどして共鳴音を発生させるものであり、叩打する位置を変えることで様々な音を発生させることができる。
【先行技術文献】
【特許文献】
【０００３】
【特許文献１】特開２００５−２６６７３２号公報
【特許文献２】特表２００８−５００５６５号公報
【考案の概要】
【考案が解決しようとする課題】
【０００４】  一般に、楽器を楽しむときは、その楽器を演奏すること、楽器が奏でる音を聴くこと、あるいは、楽器を見ることで楽しんでいた。この中で、楽器を見て楽しむときは、楽器の形を楽しむことや、楽器の外側を飾ることで楽しむことが主流であった。打楽器であるカホンであっても、カホンそのものの形状等の外観の他、外側に施された装飾を楽しんでいたが、装飾には限界があるため、より一層、見て楽しむことが要望されるようになった。【０００５】  本考案の課題は、カホンの内部をショーケースとして装飾することにより、楽器を見ることの楽しみを拡大することができるショーケース打楽器を提供することにある。
【課題を解決するための手段】
【０００６】  本考案からなるショーケース打楽器は、内部が空洞状に形成された楽器本体の打面を叩くことによりリズム演奏する打楽器の箱体の一部または全体を透明に形成し、箱体の内部に観賞用の模型を設置している。
【考案の効果】
【０００７】  本考案によれば、打楽器を奏でること、音を聴くこと、外観を見ることだけでなく、打楽器の内部に設置された観賞用の模型を観賞することにより、より広範に打楽器を楽しむことができる。
【図面の簡単な説明】
【０００８】
【図１】本考案を実施したショーケース打楽器の形態を示す斜視図である。
【図２】図１に示した楽器の背面構造を示す斜視図である。
【考案を実施するための形態】
【０００９】  図１は、本考案を実施した打楽器として、カホンを示す斜視図である。図１に示すようにカホン１は、打面板５と、左右の側面板４と、上面板２と、底面板３と、サウンドホールと称する音出力用開口７を有する背面板６かたなる箱体で構成されている。箱体の左右の側面板４と、上面板２と、底面板３は、木製の板で、互いに接着剤にて固着されている。打面板５は透明なアクリル板で、ビス１２で固定されている。背面板６は木製の板で、ビス１２で固定されている。内部は上下左右の弦張りユニット８、９が固定されている。その上下の弦張りユニット８と弦張りユニット９の間に弦１０が張られている。
【００１０】  このように形成されたカホン１の箱体の内部には、観賞用の模型１１が設置されている。この模型１１は、木製であり、鑑賞用として展示したい造形になっている。そして、カホン１の箱体の打面板５が透明なアクリル板としていることから、箱体の打面板５の外方から内部の模型１１が見えるようになっている。その結果、カホン１がショーケースのような打楽器になり、模型１１を観賞することを楽しむことができる。
【産業上の利用可能性】
【００１１】  本考案からなるショーケース楽器は、カホン等の打楽器に適用可能である。
【符号の説明】
【００１２】１  打楽器（カホン）
２  上面板
３  底面板
４  側面板
５  打面板
６  背面板
７  開口
８、９  弦張りユニット
１０  弦
１１  模型
１２  ビス
【図１】
0003173661.tif 000003
【図２】
0003173661.tif 000004